(57)【要約】【課題】大工等の建築業者に対して、電気工事もしくは配管工事等に係わる業者の伝言、依頼、覚書、注意等の連絡事項を確実に伝達するため、或いは、ボックス内に設置する例えば配線器具の種類や数量などを明確にしておくための表示部を有する諸事項表示プレート、及び該表示部を前面に臨ませるよう設けられてなるボックスを提供する。【解決手段】ボックス１０ｂは、諸事項を表示する表示部２１と該表示部２１をボックス本体１１ｂの前面に臨ませて配置するように該ボックス１１ｂに取付け可能とする取付部２２ａとを具備する諸事項表示プレート２０ｄが、着脱自在又は除去可能に備えられている。【選択図】　図７
2004007986.tif 000002
【特許請求の範囲】
【請求項１】
壁裏に配設され、壁材に設けられた透孔により開口を壁表に臨ませるボックスであって、
諸事項を表示可能な表示部を有する表示プレートを備え、
前記表示プレートは、前記表示部の前面が前記開口に臨む状態で前記ボックスの内部に配設され、前記ボックスの前面を前記壁表に臨ませた後に該ボックスの内部に配線器具等を収容可能とすべく該ボックスから除去可能に設けられたことを特徴とするボックス。
【請求項２】
壁裏に配設され、壁材に設けられた透孔により開口を壁表に臨ませるボックスであって、
壁表側から探知可能な被探知部と、諸事項を表示する表示部と
を有する表示プレートを備え、
前記表示プレートは、前記表示部の前面が前記開口に臨む状態で、前記ボックスの内部に除去可能に配設され、かつ、前記被探知部はその被探知位置が、前記透孔の穿孔中心に設けられたことを特徴とするボックス。
【請求項３】
前記表示プレートの表示部は、ボックスの開口面と略同一となるよう設けられてなることを特徴とする請求項１または請求項２に記載のボックス。
【請求項４】
壁裏に配設されて壁材に設けられた透孔により開口を壁表に臨ませるボックスに設けられる諸事項表示プレートであって、
諸事項を表示可能な表示部を有し、
前記表示部の前面が前記開口に臨む状態で前記ボックスの内部に配設され、前記ボックスの前面を前記壁表に臨ませた後に該ボックスの内部に配線器具等を収容可能とすべく該ボックスから除去可能に設けられたことを特徴とする諸事項表示プレート。
【請求項５】
壁裏に配設されて壁材に設けられた透孔により開口を壁表に臨ませるボックスに設けられる諸事項表示プレートであって、
壁表側から探知可能な被探知部と、諸事項を表示する表示部とを有し、
前記表示部の前面が前記ボックスの開口に臨む状態で前記ボックスの内部に除去可能に配設され、かつ、前記被探知部はその被探知位置が、前記透孔の穿孔中心にあるように設けられたことを特徴とする諸事項表示プレート。
【請求項６】
前記表示部は、ボックスの開口面と略面一となるよう該ボックスに取付けられることを特徴とする請求項４または請求項５に記載の諸事項表示プレート。
【発明の詳細な説明】
【０００１】
【発明の属する技術分野】
本発明は、諸事項を表示する表示部を備えた諸事項表示プレート、及び該表示部を前面に臨ませるよう設けられてなるボックスに関するものであり、より詳しくは、諸事項を表示する表示部と該表示部をボックスの前面に臨ませて配置するよう該ボックスに取付けられる取付部とを具備するところに特徴を有する諸事項表示プレート、及び該表示部を前面に臨ませるよう設けられてなるところに特徴を有するボックスに関するものである。
【０００２】
【従来の技術】
従来、諸事項を表示する表示部を備えた着脱自在の諸事項表示プレートは知られていない。また、前記諸事項表示プレートの表示部を前面に臨ませ得るように設けられてなるボックスもまた知られていない。
【０００３】
【発明が解決しようとする課題】
ところで、建造物の建築現場において、例えば電気工事業者がケーブルの配線工事を行なう場合や、水道工事業者が水道管の配管工事を行なう場合、まず、建築業者による壁形成前に壁裏に予めボックスを配置しておき、そして、壁形成後に、ボックスに設けられた磁石等の被探知部を壁表から探知して壁裏のボックス配置位置を探知し、該被探知部の探知位置を穿孔中心とする透孔を壁材に対して穿設することにより、或いは、壁裏に配置されたボックスの外形を抽出しついでこの外形に沿ってノコギリやカッターを使用して壁材を切断することにより、壁裏に配置された前記ボックスの前面の略全体を壁表に臨ませている。
【０００４】
しかしながら、前記配線工事若しくは配管工事等は、建築業者の建築工事の合間を見計らって実施されるため、配線工事若しくは配管工事等を行なう上で建築業者に対して種々の連絡、注意等を促す必要があると共に、工事を迅速に行うことが要求される。すなわち、壁形成後は、当該ボックスは壁材によって完全に覆い隠されて壁表からその設置位置は全くわからなくなってしまうため、ボックスの設置位置を壁表から探知する作業が極めて困難で、その探知作業に長時間を要することとなり、作業能率が極めて悪いという問題があるとともに、建築業者の建築工事の妨げになる懸念があった。
【０００５】
また、ボックス内に設置する例えば配線器具の種類や数量などを明確にしておくことができると、自己の配線工事若しくは配管工事等を行なう上においても極めて好都合である。
【０００６】
本発明は、以上の実状に鑑みてなされたもので、その解決しようとする課題は、例えば電気工事もしくは配管工事等に係わる業者以外の他の例えば大工等の建築業者に対して、様々な伝言、依頼、覚書、注意等の連絡事項を確実に伝達するため、或いは、ボックス内に設置する例えば配線器具の種類や数量などを明確にしておくための表示部を有する諸事項表示プレート、及び該表示部を前面に臨ませるよう設けられてなるボックスを、簡単な構成によって提供することである。
【０００７】
【課題を解決するための手段】
請求項１に記載のボックスは、壁裏に配設され、壁材に設けられた透孔により開口を壁表に臨ませるものであって、諸事項を表示可能な大きさの表示部を有する表示プレートを備え、前記表示プレートは、前記表示部の前面が前記開口に臨む状態で前記ボックスの内部に配設され、前記ボックスの前面を前記壁表に臨ませた後に該ボックスの内部に配線器具等を収容可能とすべく該ボックスから除去可能に設けられたものである。
【０００８】
請求項２に記載のボックスは、壁裏に配設され、壁材に設けられた透孔により開口を壁表に臨ませるものであって、壁表側から探知可能な被探知部と、諸事項を表示する表示部とを有する表示プレートを備え、前記表示プレートは、前記表示部の前面が前記開口に臨む状態で、前記ボックスの内部に除去可能に配設され、かつ、前記被探知部が、前記透孔の穿孔中心に設けられたものである。
【０００９】
請求項３に記載のボックスは、請求項１または請求項２に記載の表示プレートの表示部が、ボックスの開口面と略同一となるよう設けられたものである。
【００１０】
請求項１乃至請求項３に記載のボックスによれば、壁形成時における又は壁形成後の建築工事を行なう建築業者に対して、伝言、依頼、覚書、注意等を依頼したり連絡することができるとともに、例えばボックス内に設置する配線器具の種類や数量などを明確にしておくことができる。
【００１１】
すなわち、例えば建築業者に対し、壁形成の際に、壁裏のボックスの位置を壁表に罫描いてもらうように依頼することができるから、これにより、ボックスの設置位置を壁表から探知する作業や、透孔を壁材に対して穿設する作業等を、迅速かつ確実に行うことができ、また、建築業者の建築工事を邪魔することなく行うことができる。すなわち、作業性の向上が図れる。
【００１２】
特に、被探知部を備えたボックスは、磁石等の被探知部を壁表から探知して壁裏のボックスの設置位置を検出でき、壁裏に配置された当該ボックスの前面を壁表に臨ませるために壁材に対して穿孔せしめる透孔の穿孔中心の位置を確実に提供できるから、該透孔を介して当該ボックスの前面を壁表に確実に臨ませることができる、あるいは、壁裏に配置されたボックスの外形を抽出しついでこの外形に沿ってノコギリやカッターを使用して壁材を切断することによってボックスの前面を壁表に確実に臨ませることができる。
【００１３】
請求項４に記載の諸事項表示プレートは、壁裏に配設されて壁材に設けられた透孔により開口を壁表に臨ませるボックスに設けられるものであって、諸事項を表示可能な大きさの表示部を有する表示プレートを備え、前記表示プレートは、前記表示部の前面が前記開口に臨む状態で前記ボックスの内部に配設され、前記ボックスの前面を前記壁表に臨ませた後に該ボックスの内部に配線器具等を収容可能とすべく該ボックスから除去可能に設けられたものである。
【００１４】
請求項５に記載の諸事項表示プレートは、壁裏に配設されて壁材に設けられた透孔により開口を壁表に臨ませるボックスに設けられるものであって、壁表側から探知可能な被探知部と、諸事項を表示する表示部とを有し、前記表示部の前面が前記ボックスの開口に臨む状態で前記ボックスの内部に除去可能に配設され、かつ、前記被探知部が、前記透孔の穿孔中心に設けられたものである。
【００１５】
請求項６に記載の諸事項表示プレートは、請求項４または請求項５に記載の表示部が、ボックスの開口面と略面一となるよう該ボックスに取付けられるものである。
【００１６】
請求項４乃至請求項６に記載の諸事項表示プレートによれば、壁形成時に、建築業者に対して、伝言、依頼、覚書、注意等を依頼できるとともに、ボックス内に設置する配線器具の種類や数量などを明確に表示しておくことができ、失念防止が図れる。
【００１７】
また、壁裏に配置されたボックスの前面を壁表に臨ませた後に前記諸事項表示プレートをボックスから取り除くことができ、その後の配線、配管工事等の邪魔になることもないからその後の配線、配管工事等を円滑かつ確実に行うことができる。すなわち、配線、配管工事等の作業能率の向上が図れる。
【００１８】
また、配線ボックスの前面の略全体を壁表に臨ませた後には当該諸事項表示プレートを回収でき、そして、ボックスから回収されたこの諸事項表示プレートは、該諸事項表示プレートに設けられた取付部を介して他のボックスに取着できる。すなわち、これらの諸事項表示プレートは、無駄なく繰り返し利用できる。
【００１９】
特に、被探知部を備えた諸事項プレートは、磁石等の被探知部を壁表から探知して壁裏のボックスの設置位置を検出でき、壁裏に配置された当該ボックスの前面を壁表に臨ませるために壁材に対して穿孔せしめる透孔の穿孔中心の位置を提供できるとともに、壁裏に配置されたボックスの外形を抽出しついでこの外形に沿ってノコギリやカッターを使用して壁材を切断することによってボックスの前面を壁表に確実に臨ませることもできる。
【００２０】
【発明の実施の形態】
以下、請求項に係るボックス１０、及び諸事項表示プレート２０を、図面に示した実施例に従って説明するが、請求項１〜４に係るボックス１０は、請求項５〜８のいずれかに記載の諸事項表示プレート２０を夫々実質的に含み構成されているものであるので、以下では請求項１〜４に係るボックス１０を中心に説明する。
【００２１】
図１は本発明の第一実施例のボックス（配線ボックス）１０ａを示す斜視図、図２はその平面図であり、図３は図２のＡ−Ａ断面を示す断面図である。
【００２２】
図において、この実施例のボックス１０ａは、該ボックス本体１１ａ内に壁表から探知可能に設けられた被探知部１の探知位置を穿孔中心位置とする透孔を壁材に対して穿設することにより、若しくはボックス１０ａの外形を抽出し、抽出された外形に沿って壁材を切断することにより、当該ボックス本体１１ａの前面の略全体を壁表に臨ませるものであり、ボックス１０ａの周壁外側の相対向する位置に、それぞれに磁石１ｂを有する１対の被探知部１、１が形成されるとともに、例えば配線器具や、配線器具等を収容するための図示しない配線器具取付枠等が装着される１対のボス体２ａ、２ｂが周壁内側の相対向する位置に突設されており、該１対のボス体のうち一方のボス体２ａに、前記諸事項表示プレート２０が着脱自在に取付されるものである。但し、諸事項表示プレート２０を他のボス体２ｂに着脱自在に取付されるよう構成されてもいてもよい。
【００２３】
前記諸事項表示プレート２０ａは合成樹脂製で一体に形成されており、前面に諸事項を表示する表示部２１と、該表示部２１の前面を開口に臨ませた状態でボックス本体１１ａに配置すべく該ボックス本体１１ａに取付けするための取付部２２ａとを具備するものであり、この諸事項表示プレート２０ａは、配線ボックス本体１１ａの内部に取付けされ、前記表示部２１の前面が配線ボックス本体１１ａの開口面と略面一なるように配置される。
【００２４】
前記表示部２１は略正方形状に形成されており、その前面には、「壁材を設置した後ボックスの設置位置と対応する壁表に”Ｘ”印をマークする」ことを趣旨とする依頼事項が表示されている。但し、前記表示部の寸法形状や、表示される諸事項の内容を制限するものではなく、壁形成時における建築業者に対する依頼以外に、例えば伝言、要望、注意事項等であってもよく、ボックス内に設置する配線器具の種類や数量などの覚書等であってもよく、何でもよい。以下同様である。
【００２５】
前記取付部２２ａは、前記ボス体２ａに着脱自在に装着し得る半円弧状に形成されているが、取付部２２の寸法形状、及びボックスへの装着位置等を制限するものではない。より具体的には、表示部２１の対向する側端の両方に、ボックス本体１１ａの周壁に掛止できる寸法形状に形成されたフック形状の掛止部２２ｂ、２２ｂを一体に設け、該掛止部２２ｂ、２２ｂをボックス本体１１ａの側壁上端に形成された切り欠４に夫々掛止することによってボックス１１ａの前面を覆うように着脱自在に取り付けるように構成された諸事項表示プレート２０ｂ（図４）、表示部２１の一側端に、ボックス本体１１ａの周壁上端に掛止できる寸法形状に形成されたフック形状の掛止部２２ｂを一体に設け、該フック形状の掛止部２２ｂを配線ボックス１１ａの周壁に形成された切り欠４に掛止することによってボックス１１ａに着脱自在に取り付けるように構成された諸事項表示プレート２２ｃ（図５）等、様々な実施態様を採ることができる。
【００２６】
ついで、第一実施例の配線ボックス１０ａの作用効果を説明する。まず、第一実施例の配線ボックス１０ａによれば、諸事項表示プレートの表示部２１の前面を、特にはボックス本体１１ａ内に該ボックス本体１１ａの開口面と略面一なるように配置されるので、建築業者に表示部に表示された内容を正確に伝達でき、また、表示部２１の前面に、ボックス本体１１ａの開口面と略面一なるように配置されたままの状態で壁材で覆うことができる。
【００２７】
そして、建築業者によって、例えば当該ボックス１０ａの壁表に前記表示部２１に表示された依頼事項どうり概略設置位置がマークされることとなるから、当該配線ボックス１０ａの概略配置位置を壁表から簡単に知ることができ、この概略配置位置の周りに位置する被探知部１を磁気探知機で探知することにより、配線ボックス１０ａの正確な配置位置を探知でき、これにより、ボックス１０ａの外形を抽出し、抽出された外形に沿って壁材を切断することによって当該ボックス１１ａの前面の略全体を壁表に臨ませるることができる。すなわち、建築業者によって、例えば当該ボックス１０ａの壁表に前記表示部２１に表示された依頼事項どうりその概略設置位置がマークされるから、ボックス１０ａの外形を抽出し、抽出された外形に沿って壁材を切断することができるため、かかる作業能率の向上が図れる。
【００２８】
なお、配線ボックス１０ａの概略配置位置の周りを磁気探知機で探知することにより探知される被探知部１の探知位置から、穿孔中心位置を位置決めされ、この穿孔中心位置を穿孔中心とする最初の透孔を壁材に対して穿孔、ついで最初の透孔と部分的に重複する第二の透孔を壁材に対して穿設することにより、壁裏に配置されたボックス１０ａの前面をこれら透孔を介して壁表に臨ませることもできる。すなわち、壁裏に配置されたボックス１０ａの前面を前記透孔を介して壁表に臨ませ作業の作業能率の向上が図れる。
【００２９】
ところで、図６に示すように、諸事項表示プレート２２ｃは、ボックス１１ａより外方向に向けて周壁に切り欠４に取付けすることもできる。また、上述した１対のボス体のうち一方のボス体２ａの上端に磁石１ｂを備えてなる被探知部１に代えて、従来の配線用ボックスに設けられた被探知部のように、ボックス本体の底壁の偏心位置に筒状体を開口に向けて突設させ、該筒状体の天端に金属探知機で探知可能な例えばアルミニウム箔のような金属箔１ａを備えてなる被探知部であってもよい。但し、被探知部は、折り取り後適宜破棄されるものであってもよいが、配線ボックスの底壁から、他の配線ボックス本体１１’に装着できる取着部６を有したまま折り取りでき、図示しない他の配線用ボックス１１’の被取着部７に前記取着部６を介して着脱自在に装着できるであると、所謂「被探知具」として繰り返し利用できるから、好ましい。
【００３０】
すなわち、前記表示部２１に、壁形成に携わる建築業者に対する例えば伝言、依頼、注意等を表示することができ、建築業者に対して表示部に表示された伝言、依頼、注意等を正確かつ確実に伝達でき、これにより、壁形成後の作業を迅速かつ確実に行うことができる。
【００３１】
また、例えばボックス内に設置する配線器具の種類や数量などの覚書事項等を表示しておくこともできるから、きれいに仕上げることができるとともに、様々な失念による失敗を確実に防止ができる等という格別顕著な作用効果を奏する。
【００３２】
次に、本発明の第二実施例のボックス１０ｂ（配線ボックス）を、図７に平面図、図８に要部縦断面図で示す。図において、諸事項表示プレート２０ｄは、前面に諸事項を表示する表示部２１と、該表示部２１の前面を開口に臨ませてボックス本体１１ｂに配置すべく該ボックス本体１１ｂに取付けするための取付部２２ａと、前記表示部２１の前記取付部２２ａ側に備えられた磁石１ｂ（被探知部）とを具備した構成からなるものである。
【００３３】
すなわち、このボックス１０ｂは、該配線ボックス本体１１ｂに形成された１対のボス体２ｂ、２ｂに、磁石１ｂ（被探知部）を備えた諸事項表示プレート２０ｄが、前記表示部２１の前面が配線ボックス本体１１ｂの開口面と略面一となるように着脱自在に装着されるものであり、建築業者によってボックス１０ｂの壁表に前記表示部２１に表示された依頼事項どうり概略設置位置がマークされることとなるから、当該配線ボックス１０ｂの概略配置位置周辺を壁表から磁石探知機で探知することにより、ボックス本体１１ｂの全面に設けられた壁材に対して穿孔される最初の透孔の穿孔中心位置を壁表から正確に探知でき、ついで壁材の正確な位置にきれいな透孔を穿設することによって、当該ボックス１１ｂの前面の略全体を壁表に臨ませることができる。なお、当該配線ボックス１０ｂの概略配置位置周辺を壁表から磁石探知機で探知することによって、ボックス１０ｂの外形を抽出しついで抽出された外形に沿って壁材を切断することによって、当該ボックス１１ｂの前面の略全体を壁表に臨ませてもよい。
【００３４】
すなわち、第二実施例の配線ボックス１０ｂは、前記第一実施例の配線ボックス１０ａと同様、壁裏に配置されたボックス１０ｂの前面を壁表に臨ませる作業能率の向上が図れるという優れた作用効果を奏する。
【００３５】
次に、図９に要部縦断面図で示す第三実施例の配線ボックス１０ｃは、表面と裏面の両面に諸事項が表示され表示部２１と、磁石１ｂを有する被探知部と、取付部２２ａとを含み構成された前記諸事項表示プレート２０ｅが、取付部２２ｂを介して配線ボックス本体１１ｃの周壁に形成された切欠け４に着脱自在に装着されたものであり、前記表示部２１をボックスの前面開口から上方向に向けた状態のまま配置され、配線ボックス本体１１ｃの前面に壁材を設ける際に前記表示部２１が、図中において破断矢印で示すように、ボックス本体１１ｃの内側若しくは外側に向けて折曲されてその前面が配線ボックス本体１１ｃの開口面と略面一となるよう備えられるところに特徴を有する。
【００３６】
したがって、第三実施例の配線ボックス１０ｃも前記第一、第二実施例のボックス１０ａ、１０ｂと同様に、建築業者によってボックス１０ｃの壁表に前記表示部２１に表示された依頼事項どうり概略設置位置がマークされることとなるから、当該配線ボックス１０ｃの概略配置位置の周辺を壁表から磁石探知機で探知することにより、ボックス本体１１ｃの全面に設けられた壁材に対して穿孔される最初の透孔の穿孔中心位置を迅速かつ正確に探知でき、ついで壁材の正確な位置にきれいな透孔を穿設することによって、ボックス１１ｃの前面の略全体を壁表に臨ませることができる。また、ボックス１０ｃの外形を抽出しついで抽出された外形に沿って壁材を切断することによって、ボックス１１ｃの前面の略全体を壁表に臨ませることもできる。
【００３７】
したがって、この第三実施例の配線ボックス１０ｃによれば、前記実施例の配線ボックス１０ａ、１０ｂが具有する作用効果に加えて、特に、配線ボックス１０ｃの前面に壁材を布設する前にあっては、配線ボックス１０ｃの前面開口から上方向に向けて諸事項表示プレート２０ｅが配置されるから、建築業者に対して極めて目立つとともに、この諸事項表示プレート２０ｅを折曲しない限り、配線ボックス１０ｃの前面に壁材を設けることができないから、壁形成に携わる建築業者に対して注意を促し、伝言、依頼、注意等を確実に伝達することができるという格別顕著な作用効果が得られる。
【００３８】
ところで、前記諸事項表示プレートを限定するものではなく、他の配線ボックス本体に着脱自在に装着できし、繰り返し使用できることが好ましく、かかる諸事項表示プレートとしては、配線ボックスの底壁に折り取り可能に突設された筒状体５の天端に金属箔１ａが接着された表示部２１を有し、該筒状体５の下端にネジ６ａ（取着部）が一体形成されているもの（図１０）、前記筒状体５の下端に押圧によってはめ込む係止部６ｂ（取着部）が設けられているもの（図１１）、前記筒状体５の下端に中空孔６ｃが設けられこの中空孔６ｂ（取着部）に、ボックスの底面に突設された被取着部７の先端を挿嵌させるもの（図１２）等を例示できる。そして、これら諸事項表示プレートを有する配線ボックスはいずれも、本発明の配線ボックスに属することは云うまでもない。
【００３９】
また、本発明を実施する場合において、例えば諸事項表示プレートの配置位置や、取付位置、全体の外観形状などを限定するものではなく、本発明の要旨を変更しない範囲内で適宜設計変更可能であり、例えば諸事項表示プレートが取り除かれ、これにより、配線ボックス本体の底壁に形成される孔を、所謂ノック孔として使用するように構成された配線ボックスであってもよい。
【００４０】
さらにまた、上述した実施例はいずれも配線ボックスに装着される諸事項表示プレートに関するものであるが、配線用ボックス以外、例えば給排水湯管、ガス管等の配管用ボックスに同様に適用できる。
【００４１】
【発明の効果】
以上述べたように、請求項１乃至請求項３に記載のボックスによれば、壁形成時に、建築業者に対して、伝言、要望、依頼、注意事項等を伝達できるとともに、例えばボックス内に設置する配線器具の種類や数量などの覚書を表示しておくことができる。
【００４２】
また、壁裏に配置されたボックスの前面を壁表に臨ませた後に前記表示プレートをボックスから取り除くことができるから、その後の配線、配管工事等の邪魔になることもないから、その後の配線、配管工事等を円滑かつ確実に行うことができる。すなわち、作業性の向上が図れる。
【００４３】
特に、被探知部を備えたボックスは、磁石等の被探知部を壁表から探知して壁裏のボックスの設置位置を検出でき、壁裏に配置された当該ボックスの前面を壁表に臨ませるために壁材に対して穿孔せしめる透孔の穿孔中心の位置を確実に提供できるから、該透孔を介して当該ボックスの前面を壁表に確実に臨ませることができる。また、壁裏に配置されたボックスの外形を抽出しついでこの外形に沿ってノコギリやカッターを使用して壁材を切断することによってボックスの前面を壁表に確実に臨ませることもできる。
【００４４】
次に、請求項４乃至請求項６に記載の諸事項表示プレートによれば、壁形成時に、建築業者に対して、伝言、依頼、覚書、注意等を確実に伝達できるとともに、例えばボックス内に設置する配線器具の種類や数量などを明確にメモしておくことができる。
【００４５】
また、壁裏に配置されたボックスの前面を壁表に臨ませた後に前記諸事項表示プレートをボックスから取り除くことができるから、その後の配線、配管工事等の邪魔になることもなく、また、その後の配線、配管工事等を円滑かつ確実に行うことができる。すなわち、その後の配線、配管工事等の作業性の向上が図れる。
【００４６】
また、配線ボックスの前面の略全体を壁表に臨ませた後には当該諸事項表示プレートは回収でき、回収された諸事項表示プレートは、諸事項表示プレートの取付部を介して他のボックスに取着でき、無駄なく繰り返し利用できる。
【００４７】
特に、被探知部を備えた諸事項プレートは、磁石等の被探知部を壁表から探知して壁裏のボックスの設置位置を検出でき、壁裏に配置された当該ボックスの前面を壁表に臨ませるために壁材に対して穿孔せしめる透孔の穿孔中心の位置を提供できる。すなわち、壁材に穿設した透孔を介して当該ボックスの前面を壁表に確実に臨ませることができるし、壁裏に配置されたボックスの外形を抽出しついでこの外形に沿ってノコギリやカッターを使用して壁材を切断することによってボックスの前面を壁表に確実に臨ませることもできる。
【図面の簡単な説明】
【図１】図１は、本発明の第一実施例のボックス（配線ボックス）を示す一部破断斜視図である。
【図２】図２は、図１のボックス（配線ボックス）の平面図である。
【図３】図３は、図２のＡ−Ａ断面を示す縦断面図である。
【図４】図４は、本発明の他の諸事項表示プレートを有するボックス（配線ボックス）示す斜視図である。
【図５】図５は、本発明の又他の諸事項表示プレートを有するボックス（配線ボックス）示す斜視図である。
【図６】図６は、図５に示した諸事項表示プレートを、ボックス（配線ボックス）の外側に取付けした状態を示す斜視図である。
【図７】図７は、本発明の第二実施例のボックス（配線ボックス）を示す平面図である。
【図８】図８は、図７示した第二実施例のボックス（配線ボックス）の要部縦断面図である。
【図９】図９は、本発明の第三実施例のボックス（配線ボックス）を示す要部縦断面図であり、諸事項表示プレートはボックスの内側若しくは外側に向けて折曲げしてその表示部の前面をボックスの開口面と略面一に配置させた状態を模式的に示す要部縦断面図である。
【図１０】図１０は、本発明の他の諸事項表示プレートの取付部を示す要部部分縦断面図である。
【図１１】図１１は、本発明の又他の諸事項表示プレートの取付部を示す要部部分縦断面図である。
【図１２】図１２は、本発明の又他の諸事項表示プレートの取付部を示す要部部分縦断面図である。
【符号の説明】
１…被探知部
１ａ…金属箔
１ｂ…磁石
２…ボス体
２ａ…ボス体
２ｂ…ボス体
４…切り欠
５…筒状体
６…取着部
６ａ…ネジ６ａ（取着部）
６ｂ…係止部６ｂ（取着部）
６ｃ…中空孔６ｃ（取着部）
７…被取着部
１０…ボックス（配線ボックス）
１０ａ…第一実施例のボックス（配線ボックス）
１０ｂ…第二実施例のボックス（配線ボックス）
１０ｃ…第三実施例のボックス（配線ボックス）
１１ａ…ボックス本体
１１ｂ…ボックス本体
１１ｃ…ボックス本体
１１’…他の配線ボックス本体
２０…諸事項表示プレート
２０ａ…諸事項表示プレート
２０ｂ…諸事項表示プレート
２０ｃ…諸事項表示プレート
２０ｄ…諸事項表示プレート
２０ｅ…諸事項表示プレート
２１…表示部
２２…取付部
２２ａ…取付部
２２ｂ…掛止部（取付部）
２２ｃ…係止部（取付部）
【図１】
2004007986.tif 000003
【図２】
2004007986.tif 000004
【図３】
2004007986.tif 000005
【図４】
2004007986.tif 000006
【図５】
2004007986.tif 000007
【図６】
2004007986.tif 000008
【図７】
2004007986.tif 000009
【図８】
2004007986.tif 000010
【図９】
2004007986.tif 000011
【図１０】
2004007986.tif 000012
【図１１】
2004007986.tif 000013
【図１２】
2004007986.tif 000014